(57)【要約】【課題】  介護者の労力を軽減させる介護用ベットシステムの提供。【解決手段】  昇降自在な本ベットと、前記本ベットの天井側に在って前記本ベットの天井側と当該天井外の他所とを移動自在に設けられた移動体と、必要に応じて、前記移動体に着脱自在に係止される懸架手段とを備え、前記懸架手段は、本ベットの長手方向に寝る要介護者に対して身体の複数の所要部位の本ベットとの間に当該本ベットの幅方向に抜き差し自在に差し込まれる受板と、当該各受板の両端を各々係脱自在に前記移動体から吊り支える吊り部材とを備え、前記本ベットを降下させることにより、要介護者を懸架手段の複数の受板で支持し、支持した状態にて前記移動体を介して本ベット上から他所へ移動可能に構成したことを特徴とする介護用ベットシステム。【選択図】図２
2007117522.tif 000002
【特許請求の範囲】
【請求項１】
昇降自在な本ベットと、前記本ベットの天井側に在って前記本ベットの天井側と当該天井外の他所とを移動自在に設けられた移動体と、必要に応じて、前記移動体に着脱自在に係止される懸架手段とを備え、
前記懸架手段は、本ベットの長手方向に寝る要介護者に対して身体の複数の所要部位の本ベットとの間に当該本ベットの幅方向に抜き差し自在に差し込まれる受板と、当該各受板の両端を各々係脱自在に前記移動体から吊り支える吊り部材とを備え、
前記本ベットを降下させることにより、要介護者を懸架手段の複数の受板で支持し、支持した状態にて前記移動体を介して本ベット上から他所へ移動可能に構成したことを特徴とする介護用ベットシステム。
【請求項２】
昇降自在な本ベットと、前記本ベットに隣設された昇降自在な仮ベットと、前記本ベット及び仮ベットの天井側に在って両ベットの天井間を移動自在に設けられた移動体と、必要に応じて、前記移動体に着脱自在に係止される懸架手段とを備え、
前記懸架手段は、本ベットの長手方向に寝る要介護者に対して身体の複数の所要部位において、身体と本ベットとの間に当該本ベットの幅方向に抜き差し自在に差し込まれる受板と、当該各受板の両端を各々係脱自在に前記移動体から吊り支える吊り部材とを備え、
前記本ベットを降下させることにより、前記懸架手段の複数の受板によって支えた要介護者を空中支持した状態にて、前記移動体を介して本ベット上から仮ベット上に移動させ、仮ベットを上昇させることによって、当該仮ベットに要介護者を載せ、或いは逆に、仮ベットに載せた要介護者を前記懸架手段及び移動体を同様に用いて本ベットに移動可能に構成したことを特徴とする介護用ベットシステム。
【請求項３】
身体の複数の所要部位は、少なくとも頭部、背部、腰部、臀部、足部であることを特徴とする請求項１又は請求項２に記載の介護用ベットシステム。
【請求項４】
仮ベットの下半身側部位に当該仮ベットと共に昇降する車椅子乗入自在凹枠を設け、仮ベット側において、車椅子への乗り降りを自在としたことを特徴とする請求項２又は請求項３に記載の介護用ベットシステム。
【請求項５】
仮ベットの下半身側部位に当該仮ベットと共に昇降する車椅子乗入自在凹枠を設けると共に、当該車椅子乗入自在凹枠も乗入れ自在な車椅子を備えたことを特徴とする請求項２又は請求項３に記載の介護用ベットシステム。
【請求項６】
車椅子は、車椅子乗入自在凹枠に乗入れた状態において、当該車椅子の座部面が仮ベットのベット表面と一致又は略一致することを特徴とする請求項４又は請求項５に記載の介護用ベットシステム。
【請求項７】
車椅子は、車椅子乗入自在枠に乗入れた状態において、座部面に対して回動自在に設けられた背当部が仮ベットのベット表面と一致又は略一致するよう傾動し、当該背当部の背当接面が前記座部面と水平状態となることを特徴とする請求項４乃至請求項６の何れかに記載の介護用ベットシステム。
【請求項８】
車椅子の背当部は、当該背当部が要介護者を当該車椅子に乗り降りさせる際に、適度な傾斜を保つように受板が取り外された何れか一対の吊り部材にて、当該背当部の両側縁が係脱自在に係止されることを特徴とする請求項７に記載の介護用ベットシステム。
【請求項９】
各受板と各受板の両端側に一方が係止され他方が移動体に係止される各吊り部材とは、各々係止部位において係脱自在に係止されることを特徴とする請求項１から請求項８の何れかに記載の介護用ベットシステム。
【請求項１０】
本ベットと仮ベットとは平行且つ近接され、移動体は本ベットと仮ベットと天井側間に設けられた直線的軌道を介して手押しにて移動自在に構成したことを特徴とする請求項２から請求項７の何れかに記載の介護用ベットシステム。
【請求項１１】
受板の上面を当該面に当接される身体部位の表面形状に相応する相補形状としたことを特徴とする請求項１乃至請求項１０の何れかに記載の介護用ベットシステム。
【発明の詳細な説明】
【技術分野】
【０００１】
本発明は、自力での寝起き等身体が不自由な要介護者が使用する介護用ベットシステムに関するものである。
【背景技術】
【０００２】
従来、自力での寝起き等身体が不自由な要介護者、例えば寝たきり老人等の要介護者が用いる所謂介護用のベットが種々提案されている。
例えば、ケアする人の負担を軽減するための車椅子要件溶解誤用ベット（特開２００４−２０８９８５）、被介護者の入浴を容易に行うことができるベット（特開２００１−２１８７９８）、寝てる人が背を起こす動作を助勢する機能を備えたベット（特開２０００−１６６９８３）、排泄を行えるベット（特願平１０−０３３５９５）等がある。
【特許文献１】特開２００４−２０８９８５号公報
【特許文献２】特開２００１−２１８７９８号公報
【特許文献３】特開２０００−１６６９８３号公報
【特許文献４】特願平１０−０３３５９５号公報
【発明の開示】
【発明が解決しようとする課題】
【０００３】
本発明は、ベット上における要介護者のおむつや被服の着せ換え、或いは又、当該ベットと車椅子との間の乗り換え移動に際して、介護者の労力を軽減させる介護用ベットシステムの提供を目的とする。
【課題を解決するための手段】
【０００４】
請求項１の介護用ベットシステムの発明は、昇降自在な本ベットと、前記本ベットの天井側に在って前記本ベットの天井側と当該天井外の他所とを移動自在に設けられた移動体と、
必要に応じて、前記移動体に着脱自在に係止される懸架手段とを備え、
前記懸架手段は、本ベットの長手方向に寝る要介護者に対して身体の複数の所要部位の本ベットとの間に当該本ベットの幅方向に抜き差し自在に差し込まれる受板と、当該各受板の両端を各々係脱自在に前記移動体から吊り支える吊り部材とを備え、
前記本ベットを降下させることにより、要介護者を懸架手段の複数の受板で支持し、支持した状態にて前記移動体を介して本ベット上から他所へ移動可能に構成したことを特徴とする。
【０００５】
請求項２の介護用ベットシステムの発明は、昇降自在な本ベットと、前記本ベットに隣設された昇降自在な仮ベットと、前記本ベット及び仮ベットの天井側に在って両ベットの天井間を移動自在に設けられた移動体と、必要に応じて、前記移動体に着脱自在に係止される懸架手段とを備え、
前記懸架手段は、本ベットの長手方向に寝る要介護者に対して身体の複数の所要部位において、身体と本ベットとの間に当該本ベットの幅方向に抜き差し自在に差し込まれる受板と、当該各受板の両端を各々係脱自在に前記移動体から吊り支える吊り部材とを備え、
前記本ベットを降下させることにより、前記懸架手段の複数の受板によって支えた要介護者を空中支持した状態にて、前記移動体を介して本ベット上から仮ベット上に移動させ、仮ベットを上昇させることによって、当該仮ベットに要介護者を載せ、或いは逆に、仮ベットに載せた要介護者を前記懸架手段及び移動体を同様に用いて本ベットに移動可能に構成したことを特徴とする。
【０００６】
請求項３の発明は、請求項１又は請求項２に記載の介護用ベットシステムにおいて、身体の複数の所要部位は、少なくとも頭部、背部、腰部、臀部、足部であることを特徴とする。
【０００７】
請求項４の発明は、請求項２又は請求項３の介護用ベットシステムにおいて、仮ベットの下半身側部位に当該仮ベットと共に昇降する車椅子乗入自在凹枠を設け、  仮ベット側において、車椅子への乗り降りを自在としたことを特徴とする。
【０００８】
請求項５の発明は、請求項２又は請求項３の介護用ベットシステムにおいて、仮ベットの下半身側部位に当該仮ベットと共に昇降する車椅子乗入自在凹枠を設けると共に、当該車椅子乗入自在凹枠も乗入れ自在な車椅子を備えたことを特徴とする。
【０００９】
請求項６の発明は、請求項４又は請求項５の介護用ベットシステムにおいて、車椅子は、車椅子乗入自在凹枠に乗入れた状態において、当該車椅子の座部面が仮ベットのベット表面と一致又は略一致することを特徴とする。
【００１０】
請求項７の発明は、請求項４乃至請求項６の何れかに記載の介護用ベットシステムにおいて、車椅子は、車椅子乗入自在枠に乗入れた状態において、座部面に対して回動自在に設けられた背当部が仮ベットのベット表面と一致又は略一致するよう傾動し、当該背当部の背当接面が前記座部面と水平状態となることを特徴とする介護用ベットシステム。
【００１１】
請求項８の発明は、請求項７の介護用ベットシステムにおいて、車椅子の背当部は、当該背当部が要介護者を当該車椅子に乗り降りさせる際に、適度な傾斜を保つように受板が取り外された何れか一対の吊り部材にて、当該背当部の両側縁が係脱自在に係止されることを特徴とする。
【００１２】
請求項９の発明は、請求項１から請求項８の何れかに記載の介護用ベットシステムにおいて、各受板と各受板の両端側に一方が係止され他方が移動体に係止される各吊り部材とは、各々係止部位において係脱自在に係止されることを特徴とする。
【００１３】
請求項１０の発明は、請求項２から請求項７の何れかに記載の介護用ベットシステムにおいて、本ベットと仮ベットとは平行且つ近接され、移動体は本ベットと仮ベットと天井側間に設けられた直線的軌道を介して手押しにて移動自在に構成したことを特徴とする。
【００１４】
請求項１１の発明は、請求項１乃至請求項１０の何れかに記載の介護用ベットシステムにおいて、受板の上面を当該面に当接される身体部位の表面形状に相応する相補形状としたことを特徴とする。
【発明の効果】
【００１５】
請求項１乃至請求項１０の発明によれば、何れも、ベットから要介護者を移動させる際には、ベットに横たわる要介護者とベットとの間に、適当間隔にて受板を差し込み、各受板の両端を吊り部材を介して移動体に係止させた後、当該ベットを降下させることにより、前記受板と吊り部材とからなる懸架手段によって、要介護者を相対的に移動体から吊り下げた状態として、例えば、ベットの再セット作業等必要に応じて容易に、当該ベット上から他所へ要介護者を移動させることができる。
【００１６】
又、他所からベット上に要介護者を移動させる際には、移動体から吊り下げた状態のまま、要介護者を当該ベットの上方に移動させた後、当該ベットを上昇させ、要介護者を相対的にベットに横たえた状態にしてから、吊り部材を外し、受板を引き抜く、だけで済む。
【００１７】
従って、要介護者の腕や肩や胴等の体の一部を支え持ちながら要介護者を移動させていた従来の要介護者移動労力に較べて、介護者が直接要介護者を肉体的に支える必要が無いので、介護者の労力を大幅に軽減させることができ、非力な者であっても介護することができる。
【００１８】
請求項２乃至請求項１０の発明によれば、何れも、本ベットと仮ベットとの間で、要介護者を容易に移動させることができるので、本ベット側でのベットの再セット作業を、要介護者に負担を掛けず容易に行うことができると共に、従来本ベット上で行われていた排尿や用便或いは体拭き等の作業を、仮ベット側にて行うことができるので、本ベットの衛生状態を良好に保つことができると共に、要介護者を本ベットに移動させた後に、仮ベット側での作業の後始末を十分な余裕の下でおこなうことができるので、要介護者に肉体的精神的の何れにおいても負担を掛けない介護を行うことができる。
【００１９】
請求項３の発明によれば、要介護者の体を支える受板は、少なくとも頭部、背部、腰部、臀部、足部に各々１枚或いは又複数枚毎差し込まれるので、全身で横たわる要介護者をベット上に横たわった状態のままにて、安定支持し、移動体に懸架させることができる。
【００２０】
請求項４の発明によれば、要介護者を仮ベット側において、従来に較べて、介護者が労力を用いずに、容易に車椅子に乗り降りさせることができる。
【００２１】
請求項５の発明によれば、要介護者が車椅子に乗った状態のままで、仮ベットの車椅子乗入自在凹枠に乗入れ自在に構成され、且つ、仮ベットの下半身側スペースに前記凹枠が設けられているので、要介護者の車椅子への乗り降りが従来に較べて、介護者が労力を用いずに、容易に行うことができる。
【００２２】
請求項６の発明によれば、車椅子の座部面と仮ベットのベット表面とを水平状態にすることができるので、懸架手段で水平状態に吊り下げられた要介護者の下半身（臀部や足部）を車椅子の座部面に容易に位置させることができ、要介護者を容易に車椅子に移乗させることができると共に、
車椅子に乗せられた要介護者（の上半身）をベット表面に容易に横たわらせることができ、水平状態の前記座部面と仮ベットのベット表面との上で、適宜受板を差し込んで吊り部材を介して移動体に係止させるだけで、要介護者を水平移動可能な懸架状態とすることができるので、車椅子からベット（本ベット）へ要介護者を容易に移動させることができる。
【００２３】
請求項７の発明によれば、車椅子の背当部が仮ベットのベット表面と一致するよう車椅子の座部に対して回動自在としているので、車椅子への乗り降りを更に容易にすることができる。
【００２４】
請求項８の発明によれば、車椅子の背当部を仮ベットのベット表面と水平に重ねた際に、当該背当部の両サイドの長さ方向中央部位を、当該部位付近に位置する受板を引き外した後の吊り部材にて係脱自在に係止することによって、仮ベットの降・昇に応じて、即ち、降の場合には、背当部が背当部として機能するように傾動し、昇の場合には、背当部が仮ベット表面に水平に重なるように傾動するので、車椅子への乗り降りに際して、介護者は従来のように要介護者の体のあちこちを支えながら体力任せで作業をする必要がなく、要介護者の少なくとも上半身の荷重を、前記吊り部材に懸架された背当部に委ねた状態にて、容易に乗り降りさせることができる。
【００２５】
請求項９の発明によれば、懸架手段を構成する受板と吊り部材との組み付け解体を容易且つ迅速に行うことができる。
【００２６】
請求項１０の発明によれば、移動範囲を最短距離とすることができると共に、ベット２つを平行に近接させた立体的省スペース内に本発明の介護用ベットシステムを有効に設置することができる。
【００２７】
請求項１１の発明によれば、受板の揺れに対して要介護者を安定支持することができると共に、要介護者の身体に対する圧迫を軽減させることができる。
【発明を実施するための最良の形態】
【００２８】
以下、本発明を、昇降自在な本ベット（第１のベット）と、前記本ベットに隣設された昇降自在な仮ベット（第２のベット）と、前記本ベット及び仮ベットの天井側に在って両ベットの天井間を移動自在に設けられた移動体と、必要に応じて、前記移動体に着脱自在に係止される懸架手段とを備えた、介護用ベットシステムを図に基づいて説明する。
図１は平面的概念図、図２は図１のＡ−Ａ断面図、図３は図１のＢ−Ｂ断面図、図４は平面図、図５はおむつ交換工程説明図、図６は衣類着せ換え工程説明図である。
【００２９】
図１乃至図４において、図中の符号１は介護用ベットシステムであり、この介護用ベットシステム１は、床が昇降駆動手段（以下、本ベット昇降駆動手段とも言う）２１によって昇降自在な本ベット２（図２参照）と、この本ベット２の天井側に在って、この本ベット２の天井側とこの天井側から離れた他所、この実施例では仮ベット３の天井側との間を移動自在に設けられた移動体４（図２乃至図４参照）と、必要に応じて、前記移動体４に係脱自在に係止される懸架手段５（図２参照）とを備えている。
【００３０】
仮ベット３もまた床が昇降駆動手段（以下、仮ベット昇降駆動手段とも言う）３１によって昇降自在に構成（図３参照）されており、図２、図４に示す通り、移動体４は、平行に隣設されている本ベット２及び仮ベット３の天井側に在って、両ベット２，３の天井間を移動自在に設けられている。
尚、本ベット２と仮ベット３とは平行且つ近接され、移動体４は本ベット２と仮ベットと天井側間に設けられた直線的軌道を介して、介護者の手押しにて容易に移動自在に構成されている。
【００３１】
図２及び図４において、懸架手段５は、本ベット２の長手方向に横たわる（寝る）要介護者６に対して、身体の複数の所要部位、この実施例では、頭部５１、背部５２、腰部５３、臀部５４、足部５５に各々設けてあり、そのうち足部５５は更に大腿部５５１とふくらはぎ部５５２との２部位に分けて設けて在る。足部５５（５５１，５５２）の外の部は各々１部位であるが、足部５５と同様に必要に応じて更に複数部位に分けて設けてもよい。
【００３２】
懸架手段５は、要介護者６の身体と本ベット２との間の前記所要箇所に、当該本ベット２の幅方向に抜き差し自在に差し込まれる受板５６と、受板５６の両端を各々係脱自在に前記移動体４から吊り支える２本一対の吊り部材５７とを備えており、当該吊り部材５７の上端側が移動体４の適所に設けられた受部５８に、下端側が受板５６の各端に、各々容易に掛け外し作業ができるよう係脱自在に係止されている。
【００３３】
この懸架手段５（５１〜５４，５５１，５５２）は、各々が一枚の板（受け板）と当該板の長さ方向両端に係止される２本の吊り部材からなるブランコ構造をしており、吊り下げられた複数枚の受板５６、５６・・上に要介護者６が横たわれる（寝る）ように、即ち、受板５６が適当な間隔をおおいて水平に並ぶように各吊り部材５７の長さをほぼ一定にしてある。
尚、この吊り部材５７は安全のため鎖ではなく紐様であることが好ましい。
【００３４】
受板５６の上面、即ち、要介護者６の体（身体）に接する面は、接する身体の部位の表面形状に相応した形状（相補形状）とすることによって、要介護者６の身体に対する圧迫を軽減させると共に受板５６の揺れに対して要介護者６を相補形状による密着によって容易には外れないようにして、安定に支持させている。
尚、身体への圧迫を更に緩和させるためには、受板５６の上面にウレタン等の緩衝部材（図示せず）を張設するとよい。
【００３５】
図２及び図４において、受板５６のセット（差し込み）作業について説明する。
受板５６は、本ベット２に横たわる要介護者６と当該本ベット６との間の所要箇所に、複数の受板５６で要介護者６をバランス良く安定して空中懸架できるよう、本ベット2のはば方向に各々受板５６を差し込み、差し込んだ各受板５６の両端を吊り部材５７を介して移動体４で吊り下げたように係止させ、軽視させた状態のままにて、本ベット２を昇降駆動手段２１にて適当に降下させると、要介護者６は懸架手段５の複数の受板５６で空中に懸架（空中支持）された状態となり、この空中支持状態にて、介護者が手押しで操作できる移動体４を介して、要介護者６を本ベット２上から他所、この実施例では仮ベット３の上方空間、即ち天井側へと容易に移動させることができる。
【００３６】
図４において、移動体４は、本ベット２と仮ベット３との天井間に仮設された軌道、即ちこの実施例では、配設された２本のレール４１，４１上をコロ４２，４２を介して移動自在に構成されており、介護者の手押し程度で容易に移動可能としてある。
勿論、移動体４は図示されていないモータ等の適宜な駆動手段を用いて、介護者の適宜な操作により自動的に移動できる構成としても良い。
【００３７】
前述のように、本ベット２を昇降駆動手段２１により降下させ、懸架手段５の複数の受板５６によって空中支持できるように支えた要介護者６を空中支持した状態にて、移動体４を介して本ベット２上から仮ベット３上に移動させる際には、予め、仮ベット３をその昇降駆動手段３１を用いて、通常、要看護者６を載置している本ベット２の高さ位置よりも、適度に降下させておき、仮ベット３上に要介護者６が移動されて空中停止された状態にて、仮ベット３を上昇させることによって、当該仮ベット３に要介護者６を載せ（載置し）、要介護者６を載せた状態にて、各々の受板５６及び吊り部材５７を取り外す。こうして、介護者は、要介護者６を本ベット２上から仮ベット３上に移動させることができる。
又、要介護者６を仮ベット３上から本ベット２上に移動させる際にも、懸架手段５及び移動体４を用いて実質的には前述と同様の移動作業にて、容易に移動させることができる。
【００３８】
この実施例によれば、本ベット２と仮ベット３と間に要介護者６を移動させるに際して、介護者は、従来のように、要介護者６の腕や肩や胴等の体の一部等を支え持ちながら移動させる必要がなくなる。
従って、従来に較べて介護者の労力を大幅に軽減させることができ、非力な者であっても介護することが可能となる。
【００３９】
上記の説明は、本ベット自体の床換えや、本ベット上での介護作業を避け別の場所（仮ベット側）にて、介護作業を行う際などにおける、本ベット２と仮ベット３間の移動作業に関するものであるが、図５に基づいて、本ベット２上において、懸架手段５を適宜用いてのおむつ交換作業の一例を説明する。
【００４０】
おむつ交換作業の第１工程を示す図５の（１）は、本ベット２上に横たわる要介護者６を上向き状態に寝かせ、両腕を頭の上の方に上げさせた状態である。
このような姿勢にすると、要介護者６の体重を分散でき、受板５６の差込作業や引抜作業が容易となる。
【００４１】
第２工程を示す図５の（２）は、作業に必要な所要部位、この例では、腰部５３と大腿部５５１との２ヶ所（図２参照）において、各々受板５６，５６を本ベット２の幅方向に差し込んだ（敷き込んだ）状態である。
これらの受板５６は比較的薄い厚さで軽量の板状のものとし、本ベット２と身体との間にできるだけ容易に差し込み易くしてある。
【００４２】
第３工程を示す図５の（３）は、２枚の受板５６，５６の各々の両端と上下方向において相応する移動体４の各受部５８とを、吊り部材５７（５３），５７（５５１）を介して係脱自在に係止（懸架）させた状態である。
【００４３】
第４工程を示す図５の（４）は、要介護者６の臀部５４（図２参照）と本ベット２との間に、おむつ交換作業に必要な適度な作業空間が得られる程度に、当該本ベット２を降下させた状態にあり、要介護者６は臀部（５４）部分が本ベット2から離されて空中支持されている。
このように、体の一部のみを空中支持すれば済む場合には、要介護者６に過度な負担を掛けないようにするため、要介護者６の他の身体部位と本ベット２との間はできるだけ接した状態とし、間隔を開けないようにすることが望ましい。
【００４４】
第５工程を示す図５の（５）は、おむつ交換を終えた後、本ベット２を降下前の元の高さ位置まで上昇させて、要介護者６を本ベット２上に載置した状態である。この状態で、吊り部材５７，５７及び受板５６，５６を取り去る。
【００４５】
第６工程を示す図５の（６）は、吊り部材５７，５７及び受板５６，５６を取り去った後、頭上に上げさせていた両腕を下ろした状態にして、要介護者６を本ベット２上において安静にさせた状態である。
【００４６】
要介護者６のおむつ交換作業は、前述の通り、本ベット２上において、懸架手段５（５１〜５４，５５１，５５２）の適当な何れかと本ベット２の昇降駆動手段２１を適宜昇降操作することによって、介護者に、従来のような無理な体力を使わせずして、作業を容易に行わせることができる。
【００４７】
次に、図６に基づいて本ベット２上において、懸架手段５を適宜用いてする衣類着せ換え作業の一例を説明する。
【００４８】
衣類着せ換え作業の第１工程を示す図６の（１）は、本ベット２上に横たわる要介護者６を上向き状態に寝かせ、両腕を頭の上の方に上げさせた状態である。このような姿勢にするのは、おむつ交換作業の第１工程での説明と同様である。
【００４９】
第２工程を示す図６の（２）は、着せ換え作業に必要な所要部位、この例では、頭部（５１）と腰部（５３）と大腿部（５５１）との３ヶ所（図２参照）において、おむつ交換作業の第２工程で説明したと同様の受板５６，５６、５６を、各々ベット２の幅方向に差し込み、これら３枚の受板５６，５６、５６の各々の両端を吊り部材５７，５７を介して移動体４に係止させた状態である。
【００５０】
第３工程を示す図６の（３）は、要介護者６の身体の所要部位である背部（５２）と臀部（５４）とふくろはぎ部（５５２）と本ベット２との間に、受板５６，５６，５６を容易に差し込む差込作業に必要な作業空間が得られる程度に、当該本ベット２を昇降駆動手段２１にて適度に降下させた状態である。
この場合、要介護者６に過度な負担を掛けないようにするため、要介護者６の他の身体部位と本ベット２との間はできるだけ接し（当接）させた状態とし、間隔が開かないようにすることが望ましい。
【００５１】
第４工程を示す図６の（４）は、背部（５２）と臀部（５４）とふくろはぎ部（５５２）の各々と本ベット２との間に受板５６，５６，５６を各々差し込んだまま、本ベット２を元の高さ位置まで上昇させた後に、各々の受板５６，５６，５６の両端を吊り部材５７，５７、５７を介して移動体４に係止させた状態である。
これにより、要介護者６はこの実施例に示す６本全ての懸架手段５1、５２，５３，５４，５５１，５５２が装着され、全身がバランスよく寝たままの状態に等しい水平状態にて空中支持(懸架)可能な状態に各該懸架手段５が装着されたことになる。
【００５２】
第５工程を示す図６の（５）は、要介護者６の身体と本ベット２との間で、本ベット２上に衣類を敷き込むのに必要な適度な敷き込み作業空間が得られる程度に、当該本ベット２を降下させた状態である。
この場合、要介護者６は、前述のように、６本の懸架手段５１,５２，５３，５４，５５１，５５２により水平状態にて空中に安定的に支持されるので、要介護者６と本ベット２との間に、作業に必要な十分な間隔を開けることができ、作業を容易且つ迅速に行える作業空間を提供することができる。
【００５３】
第６工程を示す図６の（６）は、衣類を本ベット２上に敷き込んだ状態にて、本ベット２を降下前の元の高さ位置まで上昇させた状態である。
かかる状態にした後、６本の懸架手段を５１,５２，５３，５４，５５１，５５２を取り外してから、敷き込まれた衣類を要看護者に着せる。
【００５４】
要介護者６の衣類交換作業は、前述の通り、本ベット２上において、懸架手段５（５１〜５４，５５１，５５２）と本ベット２の昇降駆動手段２１とを適宜操作することによって、介護者に、従来のような無理な体力を使わせずして、容易に行わせることができる。
【００５５】
前記のおむつ交換作業や衣類着せ換え作業は、本ベット２上において説明したが、本ベット２と同様の普通サイズの仮ベット（図示せず）を並設している場合には、仮ベット上においても同様に行うことができる。
【００５６】
図１、図３、図４に示すように、この実施例に示す仮ベット３は、当該ベット３の下半身側部位に、仮ベット３と共に昇降する車椅子乗入自在凹枠３２が設けられており、仮ベット３側において、本ベット２上の要介護者６を車椅子７に乗り降り自在な構成としたものである。
図の例では、仮ベット３を降下させた状態で、車椅子乗入自在凹枠３２の枠床３３が、車椅子７で容易に乗り降りできるよう家屋（部屋）の床面に近接するように設けてある。
尚、図示の仮ベット３は、全身を横たえることが不能なベットであるが、車椅子を用いない介護用ベットシステムとする場合には、普通サイズのベットを仮ベットとして用いることになる。
【００５７】
このように、仮ベット３に車椅子乗入自在凹枠３２を備えた介護用ベットシステムにおいては、要介護者６は、本ベット２において車椅子７に乗り降りするのではなく、専用のゲート即ち車椅子乗入自在凹枠３２を備えた仮ベット２において、乗り降りさせるので、従来に較べて、介護者に負担を掛けずに、容易且つ迅速に乗り降りさせることができる。
【００５８】
図７及び図８において、この実施例に示す車椅子７では、車椅子乗入自在凹枠３２に乗入れた状態において、車椅子７の座部面７１が仮ベット３のベット表面と一致又は略一致（以下、略一致は一致を含む）するように構成されている。
このように、車椅子７の座部面７１を予め仮ベット３の高さ位置を合わせてた車椅子（以下、専用（の）車椅子ともいう）を用意しておくことにより、仮ベット３を本ベット２と同様に全身を横たえることのできる普通サイズのベットとして用いることができる。
【００５９】
これにより、車椅子７に座った要介護者６をそのまま仮ベット３に上半身側を横たわらせたり、仮ベット３に横たわる（よう空中支持されている）介護者６の下半身側を車椅子７に乗せたりする際の介護者の移乗作業を、従来の作業に較べて、極めて容易に行うことができる。
この場合、車椅子７の背当部７２や車椅子７を押すためのハンドル８等は、要介護者６の乗り降りや野乗り降り作業に支障が無いように、例えば、取り外し自在にしておくとか、取り外さないまでも、乗り降りスペースを避けるよう退避可能構成にしておく必要がある。
【００６０】
この実施例に示す専用の車椅子７の背当部７２は、車椅子７の座部面７１に対して回動自在に設けられており、仮ベット３のベット表面と水平状態に一致又は略一致するよう傾動（自在）させている。
従って、この車椅子７の背当部７２は、移乗作業時には、予め、当該背当部７２の背当接面７３を、仮ベット３のベット表面に重なるように傾動させておき、車椅子７の座部面７１と仮ベット３の大略ベット表面（実際は仮ベット３の表面の一部に重なる背当部７２の背当接面７３を含む）とが一致或いは略水平状態となるようしてある。
これにより、背当部７２を取り外したり取り付けたりの装着脱作業が無用となり、作業を容易且つ迅速に行うことができる。
尚、背当部７２を背もたれとして使用の際には、当然のことながら、当該背当部７２を不動に固定するために適宜なロック手段をもうけておく（図示せず）。
【００６１】
この車椅子７の背当部７２の両側縁には吊り部材５７，５７の下端が係脱自在に係止可能な係止受部７４が設けてあり、図７に示すように、要介護者６を車椅子７に乗り降りさせる際、仮ベット３の昇降、従って、車椅子乗入自在凹枠３２の昇降に応じて、背当部７２が要介護者６の上半身を担持しながら（図８の（６）参照）、適度に傾動するよう構成している。
即ち、背当部７２が水平状態において、仮ベット３を降下させて、車椅子の座部面７１を下げると、相対的に、背当部７２が座部面７１との連結部７５を回動中心として、起立するように傾動し、他方、仮ベット３を上昇させて、車椅子の座部面７１を上げ、仮ベット３と水平状態となるようにすると、相対的に、背当部７２が係止受部７４，７４を傾動中心として、当該背当部７２が水平状態となる。
【００６２】
このように、車椅子７の座部面７１と回動自在に連結した背当部７２の両側縁（の係止受部７４，７４）を、受板５６が取り外された何れかの懸架部材５（この例では懸架部材５３）の一対の吊り部材５７，５７に適宜係脱自在に係止される構成とすることによって、背当部７２が要介護者６を車椅子７に乗り降りさせる際に、仮ベット３の昇降に応じて適度な傾斜を保ちつつ、要介護者６の上半身側の荷重を背当部７２が担持することとなるため、従来に較べて、介護者の肉体的労力を大幅に軽減させることができる。
【００６３】
尚、図示のハンドル８は、この実施例では、背当部７２を車椅子７の背もたれとして起立させた状態において、車椅子７に対して装着脱自在（図では抜き差し自在）としてあるので、車椅子７と仮ベット３間の移乗作業の際には予め取り外しておき、作業終了後に装着して使用できる構成としている。
又、当然のことながら、この場合のハンドル８もまた、ハンドルとして使用の際には、当ハンドル８を不動に固定するために適宜なロック手段を設けてある（図示せず）。
【００６４】
次に、図８に基づいて本ベット２から仮ベット３を介して車椅子７に、要介護者６を移乗させる作業（移乗作業）を説明する。
【００６５】
移乗作業の第１工程を示す図８の（１）は、本ベット２上に要介護者６が寝かされた状態（図示せず）であり、仮ベット３側では、車椅子乗入自在凹枠３２に乗り入れられた空の車椅子７の引き倒された背当部７２が仮ベット３上に水平に重ねられた状態であって、仮ベット３の高さは本ベット２より相対的に低い高さ位置にセットしてある。
【００６６】
第２工程を示す図８の（２）は、本ベット２上の要介護者６に対して、適宜受板５６を差込み、受板５６と移動体４とに吊り部材５７を適宜係止し、要介護者６に懸架手段５（5,51,５２，５３，５４，５５１ｌ５５２）を装着させた後、本ベット２を降下させた吊り下げ状態（懸架状態）である。
尚、要介護者６に対する懸架手段５の装着作業は、前述のおむつ交換作業、或いは衣類交換作業における説明と実質的に同様のため、ここでは省略する。
【００６７】
第３工程を示す図８の（３）は、移動手段としての移動体４と懸架手段５とを用いて、要介護者６を本ベット２上から仮ベット３上へ空中支持したまま水平移動させてる状態である。
【００６８】
第４工程を示す図８の（４）は、仮ベット３を上昇させて、当該仮ベット３上に移動している懸架装置５が装着されたままの要介護者６を当該ベット３上に載置させた状態である。
尚、要介護者６から懸架手段５を取り外す取外作業は、前述のおむつ交換作業、或いは衣類交換作業における説明と実質的に同様のため、ここでは省略する。
【００６９】
第５工程を示す図８の（５）は、本来なら取り外されるべき懸架手段５の、何れか適当な、少なくとも一対の吊り部材５７，５７、この例では懸架手段５３の吊り部材５７を一対残し、この吊り部材５７，５７の下端を車椅子７の背当部７２の両縁側の係止受部７４、７４に係止させた状態であり、吊り部材５７，５７の係止受部７４、７４への係止を容易にさせるため、仮ベット３を若干上昇させて、吊り部材５７，５７に緩みを持たせた状態としてある。
【００７０】
第６工程を示す図８の（６）は、仮ベット３従ってそれに乗せられた車椅子７（及びその座部面７１）が降下するに従って、懸架手段５３の吊り部材５７，５７に懸架された背当部７２が要介護者６の上半身側を担持したまま適度に傾動した状態である。
尚、背当部７３は適度に傾動した状態、例えば、車椅子７の座部面７１に要介護者の大方の体重がほぼ移動した状態にて、背当部７２を仮止めしてから吊り部材５７，５７を外したり、或いは、当該吊り部材５７，５７を外した後、
仮止めを一旦外して背当部７２を正規の位置に起立させる等、適宜手段により楽な乗車姿勢を取らせる。
【００７１】
他方、車椅子７から仮ベット３を経由しての本ベット２への移乗作業は、前述の移乗作業の手順を適宜逆に行うことによって容易に行えるので、その説明を省略する。
【産業上の利用可能性】
【００７２】
本発明の介護用ベットシステムは、家庭や病院や介護施設等において広く用いることができる。
【図面の簡単な説明】
【００７３】
【図１】平面的概念図である。
【図２】図１のＡ−Ａ断面である。
【図３】図１のＢ−Ｂ断面図である。
【図４】平面図である。
【図５】おむつ交換工程説明図である。
【図６】衣類着せ換え工程説明図である。
【図７】仮ベットと車椅子の関係図である。
【図８】車椅子への移乗工程図である。
【符号の説明】
【００７４】
１    介護用ベットシステム
２１  昇降駆動手段
３    仮ベット
４    移動体
５    懸架手段（総称）
５１  懸架手段（頭部）
５２  懸架手段（背部）
５３   懸架手段（腰部）
５４  懸架手段（臀部）
５５  懸架手段（足部）
５５１懸架手段（大腿部）
５５２懸架手段（ふくらはぎ部）
５６  受板
５７  吊り部材
５８  受部（移動体）
６    要介護者
７    車椅子
７１  座部面（座部）
７２  背当部
７４  係止受部
７５  連結部
【図１】
2007117522.tif 000003
【図２】
2007117522.tif 000004
【図３】
2007117522.tif 000005
【図４】
2007117522.tif 000006
【図５】
2007117522.tif 000007
【図６】
2007117522.tif 000008
【図７】
2007117522.tif 000009
【図８】
2007117522.tif 000010